(57)【要約】【課題】通信経路を占有することなく、大容量のファイルをダウンロードできるＮＢ−ＩｏＴ通信システムを提供する。【解決手段】センサー１と通信機能部２とからなる端末３が収集したデータを管理装置１１とネットワーク１２と基地局１３とからなるインターネットにより管理装置１１に送信し、管理装置１１が端末３から送信されたデータを蓄積するＮＢ−ＩｏＴ通信システムにおいて、端末３と基地局１３との間の無線通信にＮＢを使用し、ファイル送信手段１１１が大容量のファイルを端末設定データ１１２に基づきを同一のセルに在圏する複数の端末３に順繰りに配信することにより、同一のセル１３１内の通信経路を占有することなく、大容量のファイルを管理装置１１からネットワーク１２及び基地局１３を経由して各端末３にダウンロードできる。【選択図】図１
2019213106.tif 000002
【特許請求の範囲】
【請求項１】
センサーと通信機能部とからなる端末が収集したデータを管理装置とネットワークと基地局とからなるインターネットにより前記管理装置に送信し、前記管理装置が前記端末から送信されたデータを蓄積するＮＢ−ＩｏＴ通信システムであって、前記端末と前記基地局との間の無線通信にＮＢを使用し、前記管理装置に設けられたファイル送信手段が大容量のファイルを前記管理装置に設けられた端末設定データに基づきを同一のセルに在圏する複数の端末に順繰りに配信することを特徴とするＮＢ−ＩｏＴ通信システム。
【請求項２】
前記大容量のファイルが複数の分割ファイルに分割され、前記ファイル送信手段が各分割ファイルごとに送信間隔をあけて細切れ式に同一のセルに在圏する複数の端末に順繰りに配信することを特徴とする請求項１記載のＮＢ−ＩｏＴ通信システム。
【発明の詳細な説明】
【技術分野】
【０００１】
本発明は、通信経路を占有することなく、大容量のファイルをダウンロードする、ＮＢ−ＩｏＴ通信システムに関する。
【背景技術】
【０００２】
特許文献１には、基地局のセル範囲に在圏する狭帯域の端末と広帯域の端末とに対しサービスを提供する通信システムが開示されている。この通信システムにおいて、狭帯域の端末に対する通信システムがＮＢ−ＩｏＴ通信システムを構成する。このＮＢ−ＩｏＴ通信システムにおける狭帯域の端末は、ガス・電気・水道メーターの監視を行うデバイス、又は、自治体の災害監視・街路灯の制御・ごみ回収のタイミングの決定・駐車場の空き状況の確認・異常気象や異常水位等の環境条件の監視・道路混雑状況の監視を行うデバイス、或いは、土壌・気象・病害虫の管理や水質管理を行うデバイス等のように設置された基地局のセルから別の基地局のセルに移動しない、つまり、ハンドオーバーのない、所謂、定点観測として用いられる端末である。このような端末において、ＦＯＴＡ（Firmware Over-The-Air）によるファームウェアのような大容量のファイルを基地局から無線通信によって基地局の１つのセル範囲に対して設置される個数の多いデバイスに一斉に配信又は更新すると、ＮＢ−ＩｏＴの通信速度が低く、通信経路を占有するという問題がある。
【先行技術文献】
【特許文献】
【０００３】
【特許文献１】２０１８−７１７１号公報
【発明の概要】
【発明が解決しようとする課題】
【０００４】
本発明は、上記背景技術に鑑みてなされたものであり、通信経路を占有することなく、大容量のファイルをダウンロードできるＮＢ−ＩｏＴ通信システムの提供を目的とする。
【課題を解決するための手段】
【０００５】
本発明は、センサーと通信機能部とからなる端末が収集したデータを管理装置とネットワークと基地局とからなるインターネットにより前記管理装置に送信し、前記管理装置が前記端末から送信されたデータを蓄積するＮＢ−ＩｏＴ通信システムであって、前記端末と前記基地局との間の無線通信にＮＢを使用し、前記管理装置に設けられたファイル送信手段が大容量のファイルを前記管理装置に設けられた端末設定データに基づきを同一のセルに在圏する複数の端末に順繰りに配信することを特徴とする。
【発明の効果】
【０００６】
本発明は、前記ファイル送信手段が大容量のファイルを前記端末設定データに基づきを同一のセルに在圏する複数の端末に順繰りに配信するにより、同一のセル内の通信経路を占有することなく、大容量のファイルを管理装置からネットワーク及び基地局を経由してダウンロードできる。又、本発明において、前記大容量のファイルが複数の分割ファイルに分割され、前記ファイル送信手段が各分割ファイルごとに送信間隔をあけて細切れ式に同一のセルに在圏する複数の端末に順繰りに配信することにより、ネットワーク負荷を更に抑制できる。
【図面の簡単な説明】
【０００７】
【図１】発明を実施するための形態に係るＮＢ−ＩｏＴ通信システムを示す構成図。
【図２】発明を実施するための形態に係る基地局設置データを示す図表。
【図３】発明を実施するための形態に係るセルの分割構成を示す模式図。
【図４】発明を実施するための形態に係る大容量のファイルの分割を示す模式図。
【発明を実施するための形態】
【０００８】
図１に示した発明を実施するための形態に係るＮＢ−ＩｏＴ通信システムは、センサー１と通信機能部２とからなる端末３が収集したデータを管理装置１１とネットワーク１２と基地局１３とからなるインターネットにより管理装置１１に送信し、管理装置１１が端末３から送信されたデータを蓄積しかつ蓄積されたデータを分析して新たな知見を獲得するソリューションを提供するものであって、端末３と基地局１３との間の無線通信にＮＢ（Narrow Band：「狭帯域」つまり速度が遅い通信方式）を使用し、管理装置１１に設けられたファイル送信手段１１１が大容量のファイル４０１を管理装置１１に設けられた端末設定データ１１２に基づき同一のセル１３１に在圏する複数の端末３の中の１つの端末３に配信し終えたら別の１つの端末３に配信するというように複数の端末３に順繰りに配信することにより、同一のセル１３１内の通信経路を占有することなく、大容量のファイル４０１を管理装置１１からネットワーク１２及び基地局１３を経由して各端末３にダウンロードできるようになっている。
【０００９】
換言するならば、ファイル送信手段１１１が端末設定データ１１２に基づき大容量のファイル４０１を同一のセル１３１に在圏する複数の端末３に同タイミングで配信しないことにより、同一のセル１３１内の通信経路を占有することなく、大容量のファイル４０１を管理装置１１からネットワーク１２及び基地局１３を経由してダウンロードできるようになっている。同一のセル１３１に在圏する端末３は、約１万個程度である。
【００１０】
ファイル送信手段１１１による大容量のファイル４０１は、ファイル送信手段１１１にファイル送信時刻として設定された時刻から開始されるようになっている。例えば、ファイル送信時刻として設定された時刻として基地局１３での通信が減少する夜間又は夜中の時刻が設定されていれば最適である。基地局１３から端末３に配信される大容量のファイル４０１としては、ＦＯＴＡによるファームウェアに限定されるものではないが、その１つとしてＦＯＴＡによるファームウェアが考えられる。
【００１１】
端末３は、センサー１と通信機能部２とを備え、ガス・電気・水道メーターの監視を行うデバイス、又は、自治体の災害監視・街路灯の制御・ごみ回収のタイミングの決定・駐車場の空き状況の確認・異常気象や異常水位等の環境条件の監視・道路混雑状況の監視を行うデバイス、或いは、土壌・気象・病害虫の管理や水質管理を行うデバイス等のように設置された基地局１３の１つのセル１３１から図示のされていない別の基地局のセルに移動しない、つまり、ハンドオーバーのない、所謂、定点観測として用いられ、基地局１３との通信にＮＢを用いるデバイスを構成する。
【００１２】
ＮＢ−ＩｏＴ通信システムは、ＬＴＥ（long term evolution）の機能を持ちながらデータ量及びスループットスケールを落とし、なおかつ、データ転送距離の長い帯域を利用し、例えば、約２００ｋＨｚのＮＢで通信を行い、通信速度も下り２６ｋｂｐｓ、上り６３ｋｂｐｓと低速に抑えた通信システムになっている。又、端末３から基地局１３へのデータ転送は、間欠的に行われ、端末３の電源の使用量を極力減らすように数分間で行うようになっている。端末３から基地局１３への１回のデータ転送から次のデータ転送までの間に数時間の通信休止状態を作ることも可能で、通信距離は１００Ｋｍを超えることも可能になっている。
【００１３】
管理装置１１は、サーバにより構成される。管理装置１１に設けられたファイル送信手段１１１は、管理装置１１を構成するサーバにコンピュータプログラムとして格納されたソフトウエアで具現化される。管理装置１１に設けられた端末設定データ１１２は、基地局１３の電波を提供可能な範囲としてのセル１３１と当該セル１３１に設置された複数の端末３との関係を規定したデータであって、管理装置１１の記憶部に記憶されている。
【００１４】
例えば、端末３を設置する場合において、人が端末３の電源スイッチをオンした後に端末３の設置完了を表す操作を行うことによって、端末３の通信機能部２が端末３の記憶部に記憶された端末ＩＤを基地局１３に発信する。端末ＩＤは、端末ＩＤを基地局１３に発信した端末３を示す識別情報である。この端末３から発信された端末ＩＤを基地局１３が受信すると、基地局１３は受信した端末ＩＤとセルＩＤとをネットワーク１２を通して管理装置１１に転送する。セルＩＤは、セルＩＤを管理装置１１に転送した基地局１３の電波を提供可能な範囲としてのセル１３１を示す識別情報である。この基地局１３から転送された端末ＩＤ及びセルＩＤを管理装置１１が受信すると、管理装置１１に設けられたデータ作成手段１１３が管理装置１１の記憶部に記憶された端末設定データ１１２のセルＩＤに基づく部分に端末ＩＤを記憶する。データ作成手段１１３は管理装置１１を構成するサーバにコンピュータプログラムとして格納されたソフトウエアで具現化される。端末設定データ１１２については、図２で説明する。
【００１５】
１つの基地局１３が１つのアンテナからの電波で１つのセル１３１を構成する場合は、セルＩＤに替えて基地局ＩＤを使用してもよい。基地局ＩＤは、基地局ＩＤを管理装置１１に転送した基地局１３を示す識別情報である。又、１つの基地局１３が複数のアンテナのそれぞれにそれぞれの異なる特定の方向のみ電波を放射する「指向性」を持たせ、１つの基地局１３がカバーするエリアを分割した構成の場合は、基地局ＩＤではなく、セルＩＤを使用する。１つの基地局１３がカバーするエリアを分割した構成については、図３で説明する。
【００１６】
図２に示した発明を実施するための形態に係る端末設定データ１１２には、データリスト１１２１とデータリスト１１２２とを例示する。データリスト１１２１はセルＩＤ：００１に対するデータ送信を示すものであって、データリスト１１２１には端末ＩＤ：１００１、端末ＩＤ：１００２、端末ＩＤ：１００３、端末ＩＤ：１００４、端末ＩＤ：１００５、端末ＩＤ：１００６、端末ＩＤ：１００７等が記憶され、端末ＩＤ：１００１に対する配信順番として「１」、端末ＩＤ：１００２に対する配信順番として「２」、端末ＩＤ：１００３に対する配信順番として「３」、端末ＩＤ：１００４に対する配信順番として「４」、端末ＩＤ：１００５に対する配信順番として「５」、端末ＩＤ：１００６に対する配信順番として「６」、端末ＩＤ：１００７に対する配信順番として「７」が記憶されている。
【００１７】
データリスト１１２２はセルＩＤ：００２に対するデータ送信を示すものであって、データリスト１１２２には端末ＩＤ：１１０１、端末ＩＤ：１１０２、端末ＩＤ：１１０３、端末ＩＤ：１１０４、端末ＩＤ：１１０５、端末ＩＤ：１１０６、端末ＩＤ：１１０７等が記憶され、端末ＩＤ：１１０１に対する配信順番として「１」、端末ＩＤ：１０２に対する配信順番として「２」、端末ＩＤ：１１０３に対する配信順番として「３」、端末ＩＤ：１１０４に対する配信順番として「５」、端末ＩＤ：１１０５に対する配信順番として「６」、端末ＩＤ：１１０６に対する配信順番として「４」、端末ＩＤ：１１０７に対する配信順番として「７」が記憶されている。
【００１８】
よって、データリスト１１２１によれば、図１のファイル送信手段１１１がデータリスト１１２１に記憶された配信順番に従って大容量のファイル４０１を端末ＩＤ：１００１乃至端末ＩＤ：１００７に順繰りに配信する。具体的には、端末ＩＤ：１００１への配信が終了すると端末ＩＤ：１００２への配信が開示され、端末ＩＤ：１００２への配信が終了すると端末ＩＤ：１００３への配信が開始され、端末ＩＤ：１００３への配信が終了すると端末ＩＤ：１００４への配信が開始され、端末ＩＤ：１００４への配信が終了すると端末ＩＤ：１００５への配信が開始され、端末ＩＤ：１００５への配信が終了すると端末ＩＤ：１００６への配信が開始され、端末ＩＤ：１００６への配信が終了すると端末ＩＤ：１００７への配信が開始されるというように、大容量のファイル４０１が端末ＩＤ：１００１乃至端末ＩＤ：１００７に順繰りに配信される。
【００１９】
又、データリスト１１２２によれば、図１のファイル送信手段１１１がデータリスト１１２２に記憶された配信順番に従って大容量のファイル４０１を端末ＩＤ：１１０１乃至端末ＩＤ：１１０７に順繰りに配信する。具体的には、端末ＩＤ：１１０１への配信が終了すると端末ＩＤ：１１０２への配信が開示され、端末ＩＤ：１１０２への配信が終了すると端末ＩＤ：１１０３への配信が開始され、端末ＩＤ：１１０３への配信が終了すると端末ＩＤ：１１０６への配信が開始され、端末ＩＤ：１００６への配信が終了すると端末ＩＤ：１１０４への配信が開始され、端末ＩＤ：１１０４への配信が終了すると端末ＩＤ：１１０５への配信が開始され、端末ＩＤ：１１０５への配信が終了すると端末ＩＤ：１１０７への配信が開始されるというように、大容量のファイル４０１が端末ＩＤ：１１０１乃至端末ＩＤ：１１０７に順繰りに配信される。
【００２０】
なお、データリスト１１２１及び１１２２に配信順番を設けずに、ファイル送信手段１１１が大容量のファイル４０１をデータリスト１１２１及び１１２２の上から又は下から順に配信してもよい。図１のセル１３１は図２におけるセルＩＤ：００１又はセルＩＤ：００２の何れか一方に相当する。
【００２１】
図３に示した発明を実施するための形態に係るセル１３１は、１つの基地局１３が図示のされていない複数のアンテナのそれぞれにそれぞれの異なる特定の方向のみ電波を放射する「指向性」を持たせ、１つの基地局１３がカバーするエリアとして分割された３つのセル１３１１と１３１２と１３１３とを例示する。セル１３１を３分割し、それぞれ小セル１３１１、小セル１３１２、小セル１３１３とする。そして、小セル１３１１は、セル１３１のうち、境界線１１３４と１１３５で囲まれたエリアである。小セル１３１２は、セル１３１のうち、境界線１１３５と１１３６で囲まれたエリアである。小セル１３１３は、セル１３１のうち、境界線１１３６と１１３４で囲まれたエリアである。
【００２２】
例えば、図３の小セル１３１１が図２におけるセルＩＤ：００１に相当し、図３の小セル１３１２が図２におけるセルＩＤ：００２に相当し、図３の小セル１３１３が図２に図示のされていないセルＩＤに相当する。
【００２３】
図４に示した発明を実施するための形態に係る大容量のファイル４０１が、複数の分割ファイル４０１１、４０１２、４０１３、４０１４、４０１５、４０１６、４０１７、４０１８に分割された場合を例示する。各分割ファイル４０１１乃至４０１８は、ＮＢにおけるダウンロードの通信速度を考慮し、１０ｋｂ単位で分割されている。そして、図１のファイル送信手段１１１が図４の分割ファイル４０１１乃至４０１８ごとに送信間隔をあけて細切れ式に大容量のファイル４０１を図１のセル１３１に在圏する複数の端末３に順繰りに配信することにより、ネットワーク負荷を更に抑制できる。
【００２４】
具体的には、ファイル送信手段１１１が分割ファイル４０１１乃至４０１８ごとに送信間隔をあけて細切れ式に大容量のファイル４０１を管理装置１１に設けられた端末設定データ１１２に基づき同一のセル１３１に在圏する複数の端末３の中の１つの端末３に配信し終えたら別の１つの端末３に配信するというように複数の端末３に順繰りに配信することにより、ネットワーク負荷を更に抑制できる。
なお、分割ファイル４０１１乃至４０１８は、１０ｋｂ単位に限定されるものではなく、又、同じ大きさに限定されるものもでもない。
【符号の説明】
【００２５】
１        センサー
２        通信機能部
３        端末
１１      管理装置
１２      ネットワーク
１３      基地局
１１１    ファイル送信手段
１１２    端末設定データ
１１３    データ作成手段
１３１    セル（大セル）
４０１    大容量のファイル
１１２１  データリスト
１１２２  データリスト
１１３４  境界線
１１３５  境界線
１１３６  境界線
１３１１  セル（小セル）
１３１２  セル（小セル）
１３１３  セル（小セル）
４０１１  分割ファイル
４０１２  分割ファイル
４０１３  分割ファイル
４０１４  分割ファイル
４０１５  分割ファイル
４０１６  分割ファイル
４０１７  分割ファイル
４０１８  分割ファイル
【図１】
2019213106.tif 000003
【図２】
2019213106.tif 000004
【図３】
2019213106.tif 000005
【図４】
2019213106.tif 000006